(57)【要約】【課題】装置を複雑化させることもなく、右眼用画像と左眼用画像が隣接して配置される立体視用画像を容易に見ることのできる立体視用ビュアー等を提供する。【解決手段】立体視用に作成された右眼用画像と左眼用画像が隣接して配置される立体視用画像を見るための立体視用ビュアーであって、略平板状のビュアー本体１０と、前記ビュアー本体１０の一部を切り欠いて形成される窓部１２とを有し、前記窓部は前記右眼用画像と前記左眼用画像の一方の画像の略全域からの光が対応する眼に入射すると同時に前記対応する眼には前記右眼用画像と前記左眼用画像の他方の画像からの光が遮蔽されるように構成する。【選択図】  図１
2005003824.tif 000002
【特許請求の範囲】
【請求項１】
立体視用に作成された右眼用画像と左眼用画像が隣接して配置される立体視用画像を見るための立体視用ビュアーであって、
略平板状のビュアー本体と、
前記ビュアー本体の一部を切り欠いて形成される窓部とを有し、
前記窓部は前記右眼用画像と前記左眼用画像の一方の画像の略全域からの光が対応する眼に入射すると同時に前記対応する眼には前記右眼用画像と前記左眼用画像の他方の画像からの光が遮蔽されるように形成されていることを特徴とする立体視用ビュアー。
【請求項２】
平行法による立体視と交差法による立体視の両方が可能となるように、窓部と略同幅の縁部を該窓部の片側に有することを特徴とする請求項１記載の立体視用ビュアー。
【請求項３】
前記ビュアー本体は前記立体視用画像が呈する色と容易に区別される表面色を有することを特徴とする請求項１記載の立体視用ビュアー。
【請求項４】
前記ビュアー本体の一部には、当該立体視用ビュアーの使用法が記載されていることを特徴とする請求項１記載の立体視用ビュアー。
【請求項５】
前記ビュアー本体の一部には、ユーザーが指で当該立体視用ビュアーを持つ際に、その指で支持するのに好適な位置が印刷されていることを特徴とする請求項１記載の立体視用ビュアー。
【請求項６】
前記ビュアー本体の一部には、前記窓部の明示のための枠部が設けられていることを特徴とする請求項１記載の立体視用ビュアー。
【請求項７】
前記立体視用画像を所要の記録シートに印刷する際に、前記記録シートに型紙の如く印刷されることを特徴とする請求項１記載の立体視用ビュアー。
【請求項８】
立体視用に作成された右眼用画像と左眼用画像が隣接して配置される立体視用画像を見るための立体視用眼鏡であって、
前記右眼用画像と前記左眼用画像からはそれぞれ非透過関係となる偏光方向を持つ光を射出するように構成され、
眼鏡枠体と、
前記眼鏡枠体の右側レンズ部分に右眼用の偏光板が配されると共に、前記眼鏡枠体の左側レンズ部分に前記右眼用の偏光板とは非透過関係となる左眼用の偏光板が配され、両眼の外側方向或いは内側方向に向かって前記右眼用画像と前記左眼用画像からの光を曲げる光学部材を前記偏光板の近傍に着脱自在に配置してなることを特徴とする立体視用眼鏡。
【請求項９】
前記光学部材は、プリズム若しくはフレネルレンズからなることを特徴とする請求項８記載の立体視用眼鏡。
【請求項１０】
立体視用に作成された右眼用画像と左眼用画像が隣接して配置される立体視用画像を記録した記録媒体を載置させる載置台と、
前記載置台に対して所定距離だけ離間して前記載置台に対して略平行に支持される透明支持部とを有し、
当該透明支持部に略平板状のビュアー本体の一部を切り欠いて形成される窓部を有する立体視用ビュアーを載せることで、前記立体視用画像からの光による立体視が可能とされる立体視用ビュアー支持台。
【発明の詳細な説明】
【０００１】
【発明の属する技術分野】
本発明は奥行きなどを感じることの可能な立体視を行うための立体視用ビュアー及び立体視用眼鏡に関し、特に右眼用画像と左眼用画像が隣接して配置される立体視用画像を見るための立体視用ビュアー及び立体視用眼鏡に関する。
【０００２】
【従来の技術】
従来より、視差のある２つの画像をそれぞれに対応する目で見るようにして立体画像を得るものがある。昔から良く知られたものでは、赤と青とでそれぞれの画像を作成し、それを赤と青のカラーフィルターを通して見ることで立体画像を得るように構成されている。
【０００３】
また、最近のビデオカメラやデジタルカメラの普及により、このようなデジタル画像を取り込む装置を用いて、立体画像を取得することが試みられている。立体画像を取り込むための装置としては、例えばビデオカメラのなどの撮像装置にミラーを備えた光学アタッチメントを取り付け、視差を有する画像を左右に振り分けて取り込む装置（例えば、特許文献１参照。）などが知られており、このような装置を用いて取り込んだ画像データは、左眼用データと右眼用データが分けられたものとして記録される。
【０００４】
【特許文献１】
特開平１１−４６３７３号公報
【０００５】
ところで、このような左右で異なる画像データをそれぞれの眼にクロストークのない形式で入射させることで、人は立体視をすることが可能となるが、そのような立体視を実現する方法としていくつかの方法が考えられている。その１つは立体視用の画像を表示させる装置のディスプレイ部をラインごとなどの小領域に分割し、分割された小領域ごとに右眼用偏光と左眼用偏光を生じさせる仕組みである。右眼用の画像からの光をある方向の偏光とし、左眼用の画像からの光を前記方向とは異なる偏光例えば右眼用の偏光とは垂直な方向の偏光とさせることで、左右が異なる偏光状態で鑑賞者に立体視できる画像が提供される。鑑賞者は、左右で偏光状態がそれぞれの偏光状態に適合した偏光フィルター付きの眼鏡を用い、その眼鏡を通して立体視がなされる。
【０００６】
【発明が解決しようとする課題】
このような画面自体を小領域に区分して異なる偏光状態の光を発生させることは、それなりの偏光のための装置が必要になり、立体視用のディスプレイ装置も特殊なものになることから、装置も値段が高くなり、機構も複雑化するという問題も生ずる。
【０００７】
そこで、右眼用画像と左眼用画像が隣接して配置される立体視用画像を記録紙などの記録媒体上に提供し、その立体視用画像を見るための比較的に簡単な構造の装置も開発されている。例えば右眼用画像と左眼用画像が隣接して印刷されたところに、右眼用画像と左眼用画像のそれぞれ偏光方向の垂直なフィルターを印刷媒体に重ね合わせ、偏光状態が左右で異なる偏光眼鏡で見ることで、印刷媒体の立体視が可能である（例えば特許文献２、３参照。）。この場合では、前述の如き右眼用画像と左眼用画像は、記録する場合のフォーマットの一例として、１つの画面に右眼用と左眼用の画像をそれぞれ隣接して配置することが行われており、そのまま記録紙などの記録媒体上に印刷した場合には、左右の画像が隣接して並べられた画像が印刷されてしまう。しかしながら、前述のごとき偏光フィルターを利用した装置によって左右画像を分離して、視覚的に重ね合わせることも可能である。
【０００８】
【特許文献２】
特開２００２−１２２７３８号公報
【０００９】
【特許文献３】
特開２００２−１９６２８１号公報
【００１０】
しかしながら、右眼用画像と左眼用画像が隣接して配置される立体視用画像を用いる場合でも、そのような偏光フィルターを用いた眼鏡や重ね合わせる偏光板などの装置が必要であり、現状ではそのような立体視用の眼鏡が広く普及している訳ではないことから、１つの画面に右眼用と左眼用の画像をそれぞれ隣接して配置して記録紙などの記録媒体上に印刷ものを立体視することは容易でないのが現状である。
【００１１】
また、右眼用画像と左眼用画像が隣接して配置される立体視用画像を見る場合、一般に平行法と交差法による立体視が可能であるが、それぞれ右眼用画像と左眼用画像の位置が平行法と交差法では逆の位置になる。すなわち、交差法による立体視用画像では、右眼用画像が向かって左側に配置され、左眼用画像が向かって右側に配置されるが、平行法による立体視用画像では、右眼用画像が向かって右側に配置され、左眼用画像が向かって左側に配置される。立体視において奥行きの表現は左右の画像の位置ズレに依存することになるが、平行法と交差法を間違えた場合では、奥行きなどの表現が逆になり、不自然な立体画像となってしまう。従って、平行法と交差法のどちらでも立体視が実現させる装置が望まれているが、現状の偏光フィルターを用いた眼鏡は必ずしもそのような構造になっていないことから、平行法と交差法のどちらか一方の立体視用画像を見るだけになってしまい、その使い勝手が十分ではない。
【００１２】
そこで、本発明は上述の技術的な課題に鑑み、装置を複雑化させることもなく、右眼用画像と左眼用画像が隣接して配置される立体視用画像を容易に見ることのできる立体視用ビュアー及び立体視用眼鏡を提供することも目的とする。また、本発明の他の目的は、平行法と交差法による双方の立体視が容易に実現される立体視用ビュアー及び立体視用眼鏡を提供することも目的とする。
【００１３】
【課題を解決するための手段】
本発明は上述の技術的な課題を解決するため、立体視用に作成された右眼用画像と左眼用画像が隣接して配置される立体視用画像を見るための立体視用ビュアーであって、略平板状のビュアー本体と、前記ビュアー本体の一部を切り欠いて形成される窓部とを有し、前記窓部は前記右眼用画像と前記左眼用画像の一方の画像の略全域からの光が対応する眼に入射すると同時に前記対応する眼には前記右眼用画像と前記左眼用画像の他方の画像からの光が遮蔽されるように形成されていることを特徴とする。
【００１４】
本発明の立体視用ビュアーによれば、前記窓部の形状は、片目で右眼用画像と左眼用画像が隣接して配置される立体視用画像の一方を見た時に略全域からの光が対応する眼に入射すると共に他方からの光は遮断される形状であることから、片目で一方の画像を見たときにはクロストークのない画像情報が伝達されていることになる。この状態から、他方の眼に対しても対応する画像情報を伝達することで、融像が生じ、立体画像を見ることが可能となる。
【００１５】
また、本発明の立体視用ビュアーでは、平行法による立体視と交差法による立体視の両方が可能となるように、窓部と略同幅の縁部を該窓部の片側に有していても良い。このような窓部と略同幅の縁部を設けることで、例えば平行法による立体視を行う際には、他方の画像を遮蔽しながら一方の眼で同じ側にある画像を注視して、次いで他方の目で反対側に存在する画像を注視する。この場合に、窓部と略同幅の縁部は互い反対側の画像からの光を遮断するように機能することから、左右独立して光が入射し、融像によって立体画像を見ることができる。
【００１６】
前記ビュアー本体は、前記立体視用画像が呈する色と容易に区別される表面色を有しても良く、前記ビュアー本体の一部には、当該立体視用ビュアーの使用法やユーザーが指で当該立体視用ビュアーを持つ際に、その指で支持するのに好適な位置が印刷されていても良い。更に前記窓部の明示のための枠部が設けられていても良い。
【００１７】
また、本発明の立体視用眼鏡は、上述の技術的な課題を解決するため、立体視用に作成された右眼用画像と左眼用画像が隣接して配置される立体視用画像を見るための立体視用眼鏡であって、前記右眼用画像と前記左眼用画像からはそれぞれ異なる偏光方向を持つ光を射出するように構成され、眼鏡枠体と、前記眼鏡枠体の右側レンズ部分に右眼用の偏光板が配されると共に、前記眼鏡枠体の左側レンズ部分に前記右眼用の偏光板とは非透過関係となる左眼用の偏光板が配され、両眼の外側方向或いは内側方向に向かって前記右眼用画像と前記左眼用画像からの光を曲げる光学部材を前記偏光板の近傍を配置してなることを特徴とする。
【００１８】
前記右眼用画像と前記左眼用画像からはそれぞれ異なる偏光方向を持つ光を射出するように構成する方法としては、例えば、それぞれ互いに非透過関係を有する偏光フィルターを前記右眼用画像と前記左眼用画像と鑑賞者の間に配する方法がある。光学部材は、両眼の外側方向或いは内側方向に向かって前記右眼用画像と前記左眼用画像からの光を曲げる機能を有しており、両眼の外側方向或いは内側方向に向かって光を曲げることで、鑑賞者の目には前記右眼用画像と前記左眼用画像がそれぞれ中央に寄った位置に見えることになり、鑑賞者での立体画像の融像が容易に行なわれる。ところで、前記光学部材を前記眼鏡枠体に対して着脱自在とすることで、両眼の外側方向に画像からの光を曲げる必要の有る平行法による立体視と、両眼の内側方向に画像からの光を曲げる必要の有る交差法による立体視の両方に対応可能となる。
【００１９】
【発明の実施の形態】
以下、図面を参照しながら、本発明の実施形態の各例について説明する。図１は本発明の実施形態の立体視用ビュアー１を示す図である。この立体視用ビュアー１は、略矩形状で略平板状の厚紙からなるビュアー本体１０と、そのビュアー本体１０の所要の位置を切欠いて形成されている窓部１２とを有している。
【００２０】
このビュアー本体１０は、厚紙などの片手で保持しながら平板状の形状を維持できるような軽量で或る程度の剛性を有しており、その左側の一部には窓部１２が形成されている。窓部１２以外のビュアー本体１０の表面１４には、通常あまり生じないような着色例えばシアンなどの着色がなされており、このような着色を施すことで立体視用画像との区別を容易につけることが可能である。また、ビュアー本体１０の表面１４には、当該立体視用ビュアー１の使用法についての記載部１１が設けられている。この記載部１１の記載内容について、例示すると、”立体視用ビュアーの使用法／右手にビュアー、左手に持ったプリントを腕一杯伸ばします。１．交差法：  右眼（左眼は閉じる）で左側の画の上下枠が見えるようにビュアーを合わせた後、左眼を開ける。２．平行法：右眼（左眼は閉じる）で右側の画の上下枠が見えるように距離を合わせた後、左眼を開ける。／１つの画面になったら（融像）、ビュアーを下方に外す。”のように記載される。このような使用法（インストラクション）をビュアー本体１０の表面１４の記載部１１に記載することで、特殊な使用方法であっても使用者が記載部１１を見ながら立体視をすることができ、別途のマニュアルなどは不要である。また、本実施形態の立体視用ビュアー１は、交差法と平行法の両方の立体視に対応していることから、当該記載部１１のように交差法と平行法の両方の使用法を表記することで、使用者は両方に対応していることが容易に理解でき、それぞれの立体視に応じた使用法を使い分けできることになる。
【００２１】
ビュアー本体１０の表面１４には、更に片手で当該ビュアー本体１０を保持する場合に、理想的な親指の保持位置を示す保持位置支持マーク１３も印刷されている。この保持位置支持マーク１３の位置は、ビュアー本体１０の平板状の姿勢を保つために好適な位置である。例えば余りに右端側の部分で保持した場合にはビュアー本体１０自体がへたり込んで良好な立体視ができなくなると言う問題も生じ、また余りにも窓部１２に近い場合には、直接視野に入る面積も大きくなって立体視の妨げにもなることから、このように保持位置支持マーク１３を利用することで観賞者を確実な立体視に導くことになる。
【００２２】
次に、窓部１２の形状について説明する。窓部１２は、四辺１２ａ，１２ｂ，１２ｃ，１２ｄで囲まれた矩形状であり、ビュアー本体１０のやや左端よりに設けられている。この窓部１２の形状は、右眼用、左眼用画像が隣接して配置される立体視用画像の右眼用画像、左眼用画像のそれぞれと相似であり、観賞者の目で右眼用、左眼用画像が隣接して配置される立体視用画像を見た場合に、交差法における交差位置での右眼用、左眼用画像の各全画面をちょうど通過させるサイズとされる。本実施形態の立体視用ビュアー１では、右眼用、左眼用画像が隣接して配置される立体視用画像の大きさには特に制限を設けていないので、該立体視用画像が大きくなれば窓部１２もそれに応じて大きくなり、その逆に該立体視用画像が小さくなれば窓部１２もそれに応じて小さくなる。前述のように、右眼用画像と左眼用画像を記録する場合のフォーマットの一例として、１つの画面に右眼用と左眼用の画像をそれぞれ隣接して配置することが行われ、そのまま記録紙などの記録媒体上に印刷する際には、例えば全体としてはがきサイズで画像を印刷することが考えられている。即ち、はがきサイズを横長に置いた場合の左右に画像を振り分けたフォーマットに左右のそれぞれ画像を印刷したものを、立体視の対象とすることが考えられている。本実施形態の立体視用ビュアーは、一例として、このような全体としてはがきサイズの右眼用、左眼用画像が隣接して配置される立体視用画像を対象とし、そのはがきサイズに対応したサイズの窓部１２を有する。
【００２３】
また、窓部１２は、ビュアー本体１０のやや左端寄りに設けられているが、特にその左端部１５の幅Ｗ２は窓部１２の幅Ｗ１と実質的に同じ幅となっている。これは平行法による立体視を行なう場合に、右眼で右側の画像を注視している際に左側の画像、すなわち平行法における左眼用画像が右眼に入射するのを遮断するための幅となっており、このような幅で左端部１５を構成することで、右眼で右側の画像を注視している際に左側画像からのクロストークのない右側画像を見ることができる。次いで左眼で見たときは左端部１５の左側すなわちビュアー本体１０から外れたところから、左眼で左側の画像を注視すると共に右側画像からの光を当該左端部１５で遮断することができ、同様に右側画像からのクロストークのない左側画像を見ることができる。従って、これを順に行って、右眼用、左眼用画像の融像を図ることができる。
【００２４】
ここで、図２を参照しながら、本実施形態の立体視用ビュアーの使用方法について交差法の例を挙げながら詳しく説明する。先ず、立体視を行なう場合、右眼用画像３３、左眼用画像３２が隣接して配置される立体視用画像が印刷された記録シート３１を腕一杯程度の距離に離間してその記録面が観賞者の正面を向くように配置する。次いで、観賞者は立体視用ビュアー１を手で保持し、片目で、例えば右眼２２で左側に位置する右眼用画像３３を見る。このとき右眼用画像３３の枠がちょうど窓部１２の四辺１２ａ，１２ｂ，１２ｃ，１２ｄに重なるようにある程度前後左右の位置をずらし、この位置を合わせる。これは右眼２２と窓部１２の四隅と右眼用画像３３の四隅が直線状に並ぶように位置を合わせる作業となる。次いで、左眼２１を開けて、立体視用ビュアー１の窓部１２を介して左眼用画像３２を見る。右眼２２と窓部１２の四隅と右眼用画像３３の四隅が直線状に並ぶように位置を合わせた場合では、立体視用ビュアー１が右眼用画像３３と左眼用画像３２の交差位置に配置されていることになり、そのため左眼２１を開けて右眼用画像３３と左眼用画像３２の融像が行なわれ、立体視が実現されることになる。
【００２５】
図３と図４はそれぞれ交差法と平行法の立体視を説明するための図面である。先ず、図３は交差法による立体視を説明するための図面であり、左眼２１は右側に配された画像３２からの光を入射し、右眼２２は左側に配された画像３３からの光を入射する。立体視用ビュアー１のビュアー本体１０に形成された窓部１２は、両方の画像３２、３３からの光がちょうど窓部１２を介して両目に交差して入射する位置に配され、左右の眼２１、２２で独立に入射した光による像が融像して立体視が実現される。このとき白丸点３６、３７で示す画像部分は、黒丸点３４、３５で示す画像部分の見かけ上の位置３８に対して奥側に位置している点３９に存在するように見えることになる。
【００２６】
一方、図４は平行法による立体視を説明するための図面であり、左眼２１は左側に配された画像４３からの光を入射し、右眼２２は右側に配された画像４２からの光を入射する。立体視用ビュアー１のビュアー本体１０に形成された窓部１２は、右側の画像４２からの光がちょうど窓部１２を介して入射する位置に配され、このとき窓部１２の左端部１５が右眼２２に対して左側に配された画像４３を遮ることになる。同時に、左側の画像４３からの光が左端部１５の左側を通過して左眼２１に入射することになり、このとき窓部１２の左端部１５が左眼２１に対して右側に配された画像４２を遮ることになる。その結果、左右の眼２１、２２で独立に入射した光による像が融像して立体視が実現される。このとき白丸点４４、４５で示す画像部分は、黒丸点４６、４７で示す画像部分の見かけ上の位置４８に対して奥側に位置している点４９に存在するように見えることになる。
【００２７】
また、図３と図４を比べてみれば明らかであるが、奥の側に見える点は両方の立体視方法でそれぞれ融像した白丸点３９、４９であるが、それは各画像上では黒丸点３４、３５と黒丸点４６、４７に対して白丸点の位置が逆になり、交差法と平行法の立体視ではそもそも画像が異なっていることが分かる。このため交差法では交差法用に作成された画像を見る必要があり、平行法では平行法用に作成された画像を見ることが必要である。そして、これらは立体視用画像として明確に区別されることとなるが、本実施形態の立体視用ビュアーはその両方を立体視させる場合に共通に利用できる装置であり、しかもその構造は厚紙などの材質に所要の位置及び形状で形成した窓部１２を有するだけで複雑ではなく、製造のコストも安価であると言う利点を有する。
【００２８】
図５は図１に示した立体視用ビュアーの変形例であり、ビュアー本体６１の一部に窓部６２が形成されているが、その窓部６２の枠の上端部６３と下端部６４が黒いストライプとされて、容易に視覚的に把握できる構造としたものである。すなわち、本実施形態の立体視用ビュアーでは好適な立体視を行なうためには、所定の位置にビュアー本体６１を配置し、そこで左右独立した画像からの光をそれぞれの眼に入射する必要がある。そこで黒いストライプによってコントラストの明確化を図り、窓部６２の枠の上端部６３と下端部６４が各右眼用画像若しくは左眼用画像の枠部分に合っているかを簡単に判断できるように構成する。窓部６２の枠部分となる上端部６３と下端部６４がぼやけた色である場合には、その背後の各右眼用画像若しくは左眼用画像の枠部分に合っているか否かが明確には判断できず、それが位置ずれとなってしまうおそれがあるが、本実施形態のように、黒いストライプによってコントラストの明確化を図ることで、立体視が容易に実現されることになる。なお、図６では窓部６２の枠の上端部６３と下端部６４が黒いストライプとされているが、窓の左右端部にも黒いストライプを配しても良く、この場合には左右の位置ずれを修正できると言う利点も生ずる。また、ストライプは黒に限らず他のコントラストを上げる効果を有する色であれば、他の色でも良い。また、右眼用画像及び左眼用画像の枠部分にもコントラストを強調するためのストライプを配するようにしても良く、特に右眼用画像と左眼用画像の間の境界線部分にコントラストを強調するためのストライプを配するようにしても良い。
【００２９】
図６は本実施形態の立体視用ビュアーを支持して立体視をするための立体視用ビュアー支持台を示す斜視図である。この立体視用ビュアー支持台は、立体視用に作成された右眼用画像と左眼用画像が隣接して配置される立体視用画像を記録した記録媒体８２を載置させる載置台８１と、その載置台８１に対して所定距離だけ離間して該載置台８１に対して略平行に支持されるガラスや他の透明樹脂製である透明支持部８４とを有し、当該透明支持部８４に略平板状のビュアー本体の一部を切り欠いて形成される窓部８６を有する立体視用ビュアー８５を載せることで、前記立体視用画像からの光による立体視が可能とされるものである。
【００３０】
このような立体視用ビュアーを支持する立体視用ビュアー支持台を用いることで、観賞者はわざわざ手で立体視用ビュアー８５を持つ必要がなくなり、その位置も透明支持部８４と載置台８１の間隔が固定されているため、立体視用ビュアー８５を立体視用画像を記録した記録媒体８２に対して所定の位置（例えば、図６の高さＨ）に保つことができる。従って、鑑賞者は立体視用ビュアー支持台に対して顔すなわち眼の位置を前後させて所定の位置に眼を配することができ、容易に立体画像を楽しむことができるようになる。
【００３１】
なお、図６の支持台では、高さ方向に立体視用ビュアー８５が載置台８１から離間するように構成される例を示しているが、これに限定されず水平方向やその他の方向に立体視用ビュアー８５が載置台８１から離間するように構成することもでき、透明支持部８４と載置台８１の間隔も調整できるように構成しても良い。特に、立体視用に作成された右眼用画像と左眼用画像が隣接して配置される立体視用画像の大きさによっては、立体視用ビュアー８５を配する位置も変わることから、種々のサイズの立体視用画像を見る場合では、支持台の透明支持部８４と載置台８１の間隔も調整できる方がより好ましい。また、立体視用ビュアー８５は透明支持部８４に対して別部材として載せる構造に限らず、一体的に立体視用ビュアー８５を形成した構造を有していても良い。
【００３２】
次に、図７ないし図９を参照して、立体視用眼鏡について説明する。本実施形態の立体視用眼鏡７０は、眼鏡枠体７１と、その眼鏡枠体７１の右側レンズ部分に右眼用の偏光板７２が配されると共に、前記眼鏡枠体の左側レンズ部分に前記右眼用の偏光板７２とは非透過関係となる左眼用の偏光板７３が配され、両眼の外側方向或いは内側方向に向かって前記右眼用画像と前記左眼用画像からの光を曲げる光学部材であるプリズム７４、７５を前記偏光板の近傍に着脱自在に配置している。
【００３３】
一般に、右眼用画像と左眼用画像が隣接して配置される立体視用画像についての立体視を行なう場合、その右眼用画像と左眼用画像が隣接した部分である中央部分に立体的な融像が形成されることになり、そのため眼鏡をかけた者が自然と前方向を見ているだけで中央部分を見ているように各画像からの光を曲げることで、眼球を無理に外側或いは内側に曲げることなく立体視が容易に行なえることになる。そこで、本実施形態では両眼の外側方向或いは内側方向に向かって前記右眼用画像と前記左眼用画像からの光を曲げる光学部材であるプリズム７４、７５を用いている。このようなプリズム７４、７５を各偏光板７２、７３に近接して配置することで、一種の眼鏡レンズのように機能して立体視が容易に行なえる。特に、本実施形態では、プリズム７４、７５が着脱自在とされ、平行法による立体視と交差法による立体視の両方を見ることが出来る構造となっている。
【００３４】
図８と図９は本実施形態の立体視用眼鏡を用いて平行法による立体視と交差法による立体視の両方を見る場合の模式図であって、図８は平行法による立体視の場合の模式図であり、図９は交差法による立体視の場合の模式図である。
【００３５】
右眼用画像と左眼用画像が隣接して配置される立体視用画像上には、互いに非透過関係とされる偏光板１０１、１０２が配され、それぞれの偏光を入射させるように眼鏡枠体に配された偏光板１０３、１０４が配されている。平行法による立体視の場合では、図８に示すように、画像側で左側の偏光板１０１の偏光方向と眼鏡部分の左眼用偏光板１０３の偏光方向は、その透過できる偏光方向が同一であり、同様に、画像側で右側の偏光板１０２の偏光方向と眼鏡部分の右眼用偏光板１０４の偏光方向は、その透過できる偏光方向が同一であり、更に右眼用偏光板１０４は左側の偏光板１０１を透過した偏光を透過せずに遮断し、左眼用偏光板１０３は右側の偏光板１０２を透過した偏光を透過せずに遮断する。この場合に、プリズム１０５、１０６は画像からの光を外側に曲げることで、見かけ上、内側に像があるように見せることができ、眼球１０７、１０８を強制的に内側に向けなくとも立体視が容易に実現されることになる。
【００３６】
これに対して、交差法による立体視の場合では、図９に示すように、眼鏡側の偏光板１０４、１０３の左右が入れ替わり、プリズム１０５，１０６もその取り付け方向が入れ替わった構成とされている。すなわち、画像側で左側の偏光板１０１の偏光方向と眼鏡部分の右眼用偏光板１０３の偏光方向は、その透過できる偏光方向が同一であり、同様に、画像側で右側の偏光板１０２の偏光方向と眼鏡部分の左眼用偏光板１０４の偏光方向は、その透過できる偏光方向が同一であり、更に左眼用偏光板１０４は左側の偏光板１０１を透過した偏光を透過せずに遮断し、右眼用偏光板１０３は右側の偏光板１０２を透過した偏光を透過せずに遮断する。この場合に、プリズム１０５、１０６は画像からの光を内側に曲げることで、見かけ上、内側に像があるようにみせることができ、眼球１０７、１０８を強制的に内側に向けなくとも立体視が容易に実現されることになる。
【００３７】
図８と図９を比較してみると、眼鏡側の偏光板１０４、１０３の左右が入れ替わり、プリズム１０５，１０６もその取り付け方向が入れ替わった構成とされている。このような入れ替えを行なうことで、同一の立体視用眼鏡で平行法による立体視と交差法による立体視の双方が可能となる。なお、眼鏡側の偏光板１０４、１０３の左右を入れ替えるだけではなく、画像側の偏光板１０１、１０２の左右を入れ替えても良く、この場合にはプリズム１０５，１０６の取り付けを左右逆とするか、或いは上下を反転させるような構造であっても良い。また、プリズムの代わりにプリズムシートなどの光学部品を用いることも可能である。また、眼鏡のレンズ部分を上下に分割し、上側と下側で取り付けるプリズムの方向を異ならせ、平行法による立体視と交差法による立体視の双方が可能となる構成とすることも可能である。
【００３８】
プリズム１０５、１０６の着脱は、所要に溝にプリズムを嵌めこむ構成であれば、その嵌合状態を解除し、左右のプリズムを入れ替えて或いは同じプリズムで上下を入れ替えて取り付ければ良い。また、螺子止めやその他の着脱手段を用いることが可能である。
【００３９】
図１０は先に説明した立体視用ビュアーを右眼用画像と左眼用画像が隣接して配置される立体視用画像と共に印刷して、立体視を行なう例を示す図である。先に説明したように、右眼用画像と左眼用画像を記録する場合のフォーマットの一例として、１つの画面に右眼用と左眼用の画像をそれぞれ隣接して配置することが行われており、そのまま記録紙などの記録媒体上に印刷する際には、例えば全体としてはがきサイズで画像を印刷することが考えられている。そこで、その記録紙などの記録媒体上に印刷する際に、同時に立体視用ビュアーを同じ記録媒体上に印刷し、使用者の立体視を補助することが便宜であり、この立体視用ビュアーを図１０に示す。
【００４０】
図１０示すように、プリンター１１１からは右眼用画像と左眼用画像が隣接して配置される立体視用画像１１５、１１６が記録シート１１２上に印刷されたものが出力され、特にその記録シート１１２上の下部には窓部１１４の枠を印刷してなる立体視用ビュアー１１３が型紙のように印刷される。使用者は、このようなフォーマットで立体視用画像１１５、１１６を印刷した後、立体視用ビュアー１１３を切り離し、更には窓部１１４を切り抜いて前述のような立体視用ビュアーとして利用することができる。この場合には、特に立体視用ビュアーをデータとして立体視用画像に追加することで、使用者が立体視用ビュアーを利用できる可能性があり、特殊な器具などなしで立体視が実現できる。特に立体視用ビュアーをデータ形式で配信できることから、切り抜きなどの作業を伴うものの場所を選ばず立体視が実現できることになる。
【００４１】
図１１は右眼用画像と左眼用画像が隣接して配置される立体視用画像の一例であり、画像１２０が交差法用の画像例であり、画像１２１が平行法用の画像例である。また、図１２は本実施形態の立体視用ビュアーの更に具体的な一例であり、この立体視用ビュアー１２３は、例えば、図１１に示した画像を平行法と交差法の両方で見る場合に好適なものである。立体視用ビュア１２３の左側には窓部１２４が形成されている点については、前述の立体視用ビュアー１と同様である。
【００４２】
本実施形態において、立体視用ビュアーは例えば厚紙で構成するとして説明したが、これに限らず、樹脂フィルム、複合材料やその他の材料を用いることができる。また、ビュアー本体のやや左側に窓部を形成する構造としたが、やや右側に窓部を形成して左手で持つような構造でも良い。また、窓部の形状を矩形状としたが、これは立体視用の画像と相似形状としたことに因るものであり、立体視用の画像が他の形状である場合には、その形状に相似な形状であれば良い。
【００４３】
【発明の効果】
本発明の立体視用ビュアーによれば、装置を複雑化させることもなく、右眼用画像と左眼用画像が隣接して配置される立体視用画像を容易に見ることができる。また、本発明の立体視用ビュアー及び立体視用眼鏡によれば、平行法と交差法の両方の立体視を同一の装置で実現できるという利点が得られる。
【図面の簡単な説明】
【図１】本発明の実施の形態の立体視用ビュアーの一例を示す斜視図である。
【図２】本発明の実施の形態の立体視用ビュアーの一例の使用例を示す模式的な斜視図である。
【図３】交差法による立体視を説明するための図である。
【図４】平行法による立体視を説明するための図である。
【図５】本発明の実施の形態の立体視用ビュアーの変形例を示す平面図である。
【図６】本発明の実施の形態の立体視用ビュアーの支持台を示す斜視図である。
【図７】本発明の実施の形態の立体視用眼鏡の一例を示す斜視図である。
【図８】前記立体視用眼鏡を用いた場合の平行法による立体視を説明するための図である。
【図９】前記立体視用眼鏡を用いた場合の交差法による立体視を説明するための図である。
【図１０】本発明の実施の形態の立体視用ビュアーの一例を印刷で作成する場合の様子を示す斜視図である。
【図１１】右眼用画像と左眼用画像が隣接して配置される立体視用画像の一例を示す図である。
【図１２】本実施形態の立体視用ビュアーの更に具体的な一例を示す平面図である。
【符号の説明】
１  立体視用ビュアー
１０  ビュアー本体
１１  記載部
１２  窓部
１３  保持位置支持マーク
１４  表面
１５  左端部
２１  左眼
２２  右眼
３２、４３  左眼用画像
３３、４２  右眼用画像
７０  立体視用眼鏡
７１  眼鏡枠体
７２、７３  偏光板
７４、７５  プリズム
８１  載置台
８２  記録媒体
８４  透明支持部
１０１、１０２  偏光板
１０３、１０４  偏光板
１０５、１０６  プリズム
１０７  左眼
１０８  右眼
【図１】
2005003824.tif 000003
【図２】
2005003824.tif 000004
【図３】
2005003824.tif 000005
【図４】
2005003824.tif 000006
【図５】
2005003824.tif 000007
【図６】
2005003824.tif 000008
【図７】
2005003824.tif 000009
【図８】
2005003824.tif 000010
【図９】
2005003824.tif 000011
【図１０】
2005003824.tif 000012
【図１１】
2005003824.tif 000013
【図１２】
2005003824.tif 000014